(57)【要約】【課題】  動画データに、動画データに含まれる画像とは別の画像をサムネイルとして付加することにより検索をより効率的に行える撮像記録表示装置を提供する。【解決手段】映像を撮影する撮影手段１０７と、撮影された映像の処理を行う画像処理手段１０３と、処理された映像を記録する記録手段１０８と、処理された映像を記録するための記録媒体１０４と、記録されている映像を表示するための表示手段１０５と、外部と通信するための通信手段１０１と、撮影データに付加情報を付加するための情報取得生成手段１０６を具備したカメラ一体型の撮影記録表示装置１００であって、前記情報取得生成手段１０６は、記録データに記録データに含まれる画像以外の画像を縮小画像として生成し、複数の縮小画像を付加する手段を具備する。【選択図】  図１
2005176118.tif 000002
【特許請求の範囲】
【請求項１】
映像を撮影する撮影手段と、撮影された映像の処理を行う画像処理手段と、処理された映像を記録する記録手段と、処理された映像を記録するための記録媒体と、記録されている映像を表示するための表示手段と、外部と通信するための通信手段と、撮影データに付加情報を付加するための情報取得生成手段を具備したカメラ一体型の撮影記録表示装置であって、前記情報取得生成手段は、記録データに記録データに含まれる画像以外の画像を縮小画像として生成し、複数の縮小画像を付加する手段を具備することを特徴とする撮像記録表示装置。
【請求項２】
請求項１記載の撮影記録表示装置であって、前記情報取得生成手段は、通信手段によって得られた外部の情報から縮小画像を生成して記録データにサムネイルとして付加することを特徴とする撮像記録表示装置。
【請求項３】
請求項１記載の撮影記録表示装置であって、前記情報取得生成手段は、記録媒体に予め記録されたデータから縮小画像を生成して記録データにサムネイルとして付加することを特徴とする撮像記録表示装置。
【請求項４】
請求項１記載の撮影記録表示装置であって、前記情報取得生成手段は、通信手段によって得られた外部の情報と予め記録されたデータから縮小画像を生成して記録データにサムネイルとして付加することを特徴とする撮像記録表示装置。
【請求項５】
請求項１記載の撮影記録表示装置であって、前記情報取得生成手段は、通信手段によって外部より得られる位置情報と予め記録された地図画像とから、縮小地図画像を生成して記録データにサムネイルとして付加することを特徴とする撮像記録表示装置。
【請求項６】
請求項１記載の撮影記録表示装置であって、前記情報取得生成手段は、通信手段によって外部より得られる位置情報と通信手段によって外部より得られる地図画像から、縮小地図画像を生成して記録データにサムネイルとして付加することを特徴とする撮像記録表示装置。
【請求項７】
請求項１記載の撮影記録表示装置であって、前記情報取得生成手段は、通信手段によって外部より得られる天候情報と予め記録されたデータから、縮小天候画像を生成して記録データにサムネイルとして付加することを特徴とする撮像記録表示装置。
【請求項８】
請求項１記載の撮影記録表示装置であって、前記情報取得生成手段は、時間情報から、季節を表す縮小画像を生成して記録データにサムネイルとして付加することを特徴とする撮像記録表示装置。
【請求項９】
請求項１記載の撮影記録表示装置であって、前記情報取得生成手段は、通信手段によって外部から位置情報を取得し、予め記録媒体に記録されている画像データ郡から位置情報に関連した画像を選択して記録データにサムネイルとして付加することを特徴とする撮像記録表示装置。
【請求項１０】
請求項１記載の撮影記録表示装置であって、複数の縮小画像が付加されたデータが記録されている場合には、各サムネイルを切り替えて表示することが可能であること特徴とする撮像記録表示装置。
【発明の詳細な説明】
【技術分野】
【０００１】
撮影手段、記録手段、再生手段、表示手段を有する記録撮影装置における記録再生方法に関する。
【背景技術】
【０００２】
従来、記録装置に記録された動画データをサムネイル(縮小版)で表示させた場合には、動画データの開始位置の画像、もしくは代表的な画像が表示されていた。
【発明の開示】
【発明が解決しようとする課題】
【０００３】
しかしながら、従来のサムネイルは、サムネイル画像は動画データの検索のために利用されることが多く、単に動画データ中の一部の画像をサムネイルとして表示するだけで、検索としての機能を有効に活用していない課題を有する
本発明は上記課題に鑑みてなされたものであり、動画データに、動画データに含まれる画像とは別の画像をサムネイルとして付加することにより検索をより効率的に行える撮像記録表示装置を提供することを目的とする。
【課題を解決するための手段】
【０００４】
上記課題を解決するため、本発明では以下のように構成している。
【０００５】
即ち、映像を撮影する撮影手段と、撮影された映像の処理を行う画像処理手段と、処理された映像を記録する記録手段と、処理された映像を記録するための記録媒体と、記録されている映像を表示するための表示手段と、外部と通信するための通信手段と、撮影データに付加情報を付加するための情報取得生成手段を具備したカメラ一体型の撮影記録表示装置であって、前記情報取得生成手段は、記録データに記録データに含まれる画像以外の画像を縮小画像として生成し、複数の縮小画像を付加する手段を具備することを特徴とする。
【０００６】
また、前記情報取得生成手段は、通信手段によって得られた外部の情報から縮小画像を生成して記録データにサムネイルとして付加する構成でも良く、前記情報取得生成手段は、記録媒体に予め記録されたデータから縮小画像を生成して記録データにサムネイルとして付加する構成としてもよい。
【０００７】
また、前記情報取得生成手段は、通信手段によって得られた外部の情報と予め記録されたデータから縮小画像を生成して記録データにサムネイルとして付加する構成としてもよく、前記情報取得生成手段は、通信手段によって外部より得られる位置情報と予め記録された地図画像とから、縮小地図画像を生成して記録データにサムネイルとして付加する構成としてもよい。
【０００８】
また、前記情報取得生成手段は、通信手段によって外部より得られる位置情報と通信手段によって外部より得られる地図画像から、縮小地図画像を生成して記録データにサムネイルとして付加する構成としても良く、前記情報取得生成手段は、通信手段によって外部より得られる天候情報と予め記録されたデータから、縮小天候画像を生成して記録データにサムネイルとして付加する構成としてもよい。
【０００９】
また、前記情報取得生成手段は、時間情報から、季節を表す縮小画像を生成して記録データにサムネイルとして付加する構成としてもよく、前記情報取得生成手段は、通信手段によって外部から位置情報を取得し、予め記録媒体に記録されている画像データ郡から位置情報に関連した画像を選択して記録データにサムネイルとして付加する構成としてもよい。
【００１０】
また、複数の縮小画像が付加されたデータが記録されている場合には、各サムネイルを切り替えて表示することが可能である構成としてもよい。
【発明の効果】
【００１１】
本発明によれば、映像データに本映像中の画像データとは異なるサムネイルを付加することができ、付加したサムネイルをカテゴリ分類し表示を行うことで、ユーザに対する映像データの検索効率が向上する。
【発明を実施するための最良の形態】
【００１２】
以下に本発明の実施例について説明する。
【実施例１】
【００１３】
以下に、本発明の第１の実施例を図１〜図６に基づき説明する。
【００１４】
図１は、撮影記録表示装置１００の電気的構成を示したブロック図である。
【００１５】
図１の撮影記録表示装置１００において、映像を撮影する撮影手段は、制御部１１０が撮像部１０７を制御して映像をデジタルデータとして取得することで実現される。また、画像処理手段は、制御部１１０が撮像部１０７によって取得されたデジタルデータを画像処理部１０３に転送し、画像処理部１０３で加工圧縮する制御を行うことによって実現される。
【００１６】
また、撮影された映像を記録する記録手段は、同様に制御部１１０が各処理部を制御することによって、画像処理部１０３が加工圧縮したデータを着脱可能記録部１０４に転送、記録することで実現される。付加情報を付加するための情報取得生成手段は、同様に制御部１０９が縮小画像生成部１０６を制御し、縮小画像(サムネイル)を生成することで実現される。縮小画像生成部１０６は外部の機器から通信部１０１を介して得られる情報、メモリ１０８に記録されている情報、着脱可能記録部１０４に記録されている情報を参照し縮小画像(サムネイル)を生成する。例えば、外部の機器がＧＰＳ(Global Positioning System)の場合には、情報として位置情報が得られるので、縮小画像生成部１０６は位置情報から縮小画像(サムネイル)を生成する。また、撮影記録表示装置１００が情報取得手段を有している場合には、その情報を利用して縮小画像を生成しても良い。また、着脱可能記録部１０４に縮小画像(サムネイル)のテンプレートが記録されている場合には、前記位置情報と組み合わせて縮小画像生成部１０６は縮小画像(サムネイル)を生成する。
【００１７】
図２は、撮影記録表示装置１００が、外部の位置情報取得装置２００と接続されている状態を示している。２１０は撮影記録表示装置１００と外部の位置情報取得装置２００を接続するためのシリアルもしくはパラレルのケーブルである。位置情報取得装置２００はＧＰＳ装置であり、位置情報を取得することが可能である。
【００１８】
以下に、得られた位置情報から地図サムネイルを生成し映像データに付加する動作を説明する。
【００１９】
撮影記録表示装置１００の操作部１１０によって撮影を開始が要求されると、制御部１０９は撮像部１０７によって映像の取得を開始する。撮影されたデジタルデータは画像処理部１０３によって画像処理が行われ着脱可能記録部１０４への記録が開始される。同時に制御部１０９は、通信部１０１を介してケーブル２１０によって接続された位置情報取得装置２００から位置情報の取得を要求する。通信補助部１０２によって撮影記録表示装置１００と位置情報取得装置２００の双方が理解する通信プロトコルを制御することで通信を成立させる。簡単化のため通信プロトコルの詳細は省略する。
【００２０】
通信部１０１及び、通信補助部１０２を介して位置情報取得装置２００より取得された位置情報は、制御部１０９によってメモリ１０８に格納される。図３はメモリ１０８に格納される位置情報の構成であり、撮影記録中の映像データを示す識別子３０１、緯度３０２、経度３０３、位置情報の取得時間３０４が記録される。また、メモリ１０８には地図データが画像として圧縮格納されている。 図４はメモリ１０８に記録されている地図画像４００の一例であり、地図画像４００の大きさに応じて緯度４０２、経度４０１から位置を特定できる。本実施例の場合、地図画像４００のサイズが大きければ、経度４０２、緯度４０１によって指定できる位置が詳細になる。制御部１０９は位置情報（図３参照）が取得記録され、撮影が終了すると、メモリ１０８の地図画像４００を参照し取得した緯度、経度の情報から、地図上での位置を特定する。図４において４０３は取得した経度、緯度情報によって指定される位置である。制御部１０９は地図画像４００から４０３の位置のデータを画像処理部１０３によって切り出し、縮小画像(地図サムネイル)として生成する。ここで、本実施例においては、メモリ１０８に格納されている地図画像４００の大きさは図７に示すように、縦２０００ＰＩＸＥＬ(７０１)、横２０００ＰＩＸＥＬ(７０２)である。また画像示す範囲は、緯度４７度（７０３）〜２９度（７０４）、経度１２９度（７０５）〜経度１４７度（７０６）である。
【００２１】
すなわち、緯度１度が約１１１ＰＩＸＥＬ、経度１度が約１１１ＰＩＸＥＬで示されることになる。なお、これらの値は説明上、概略値とする。
【００２２】
位置情報から得られた値は（４０３）を示しており、その値は緯度４３度（７０７）、経度１４２度（７０８）である。
【００２３】
以上のデータから、（４０３）が示す位置は地図画像４００において左上を（Ｘ，Ｙ）＝（０，０）とすれば、（Ｘ，Ｙ）＝（１４４３，１５５４）となる。制御部１０９はこの点を中心として、予め設定されている大きさの画像を、画像処理部１０３によって地図画像４００よりトリミングし縮小画像(サムネイル)として生成する。ここで、生成するサムネイルの大きさは、ユーザによって設定できるようにしても良い。
【００２４】
制御部１０９は生成されたサムネイルを、識別子３０１によって示される着脱可能記録部１０４に記録されている映像データの地図サムネイルとして付加記録する。ここで、映像データは、図５に示す様に、メタデータとして、ヘッダデータ部５０１、フッダデータ部５０３、圧縮された映像データ５０２として記録されている。
【００２５】
通常の映像本体から抽出した基本サムネイルはヘッダデータ部５０１に記録されている。地図サムネイルは、フッダデータ部５０３にメタデータとして記録される。フッダデータ部５０３には、基本サムネイル以外のサムネイルが付加されていることを示すサムネイルリスト識別子６０１が記録されており、続いて６０２として付加されているサムネイルの個数が記録されている。続いて次のサムネイル識別子６０４が記録されている位置を示すサムネイルリスト識別子６０１が記録されている位置からのバイトオフセットが６０３として記録されている。そのバイトオフセット６０３が示す位置には、サムネイルを識別するためのサムネイル識別子６０４と実際のサムネイルデータ６１３が記録されている位置を示すサムネイルリスト識別子６０１が記録されている位置からのバイトオフセット６０５が記録されている。その次には、次のサムネイル識別子が記録されている位置を示すサムネイルリスト識別子６０１が記録されている位置からのバイトオフセット６０６が記録されている。以降はサムネイルを示す識別子６０７、６１０と、実際のデータへのオフセット６０８、６１１、次のサムネイル識別子へのオフセット６０９、６１２が、６０２によって示されるサムネイルの個数分だけ、識別子３０１によって指定される映像データのサムネイルとして記録されている。最後のサムネイル識別子の場合のみ、次のサムネイル識別子へのオフセットは０となる。
【００２６】
制御部１０９は、生成した４０３の縮小画像である地図サムネイルを、識別子３０１によって指定される映像データに付加するために、まず、フッダデータ部５０３からサムネイルリスト識別子６０１を検索する。サムネイルリスト識別子６０１がすでに記録されている場合には、サムネイルの個数を示す６０２を更新し、新たに付加する該地図サムネイルを示すサムネイル識別子をサムネイルリストの最後に追加し、フッダデータ部５０３の空き領域に該地図サムネイルデータを記録し、そのデータへのオフセットを記録する。
【００２７】
一方、サムネイルリスト識別子６０１が記録されていない場合には、フッダデータ部５０３の空き領域にサムネイルリスト識別子６０１を付加した後に、サムネイルデータを付加する。ここで、地図画像４００はメモリ１０８に記録されているものとしているが、着脱可能記録部１０４に記録してあっても良い。
【００２８】
以上述べた手順によって、地図サムネイルを映像データに付加することが可能となる。また、地図画像４００はメモリ１０８からではなく、通信部１０１を介して外部の機器から取得し、地図サムネイルを生成してもよい。
【００２９】
次に位置情報から、地図サムネイルではなく、その場所を示す画像データ(例えば観光スポットの画像)をサムネイルデータとして記録データに付加する方法について述べる。
【００３０】
撮影記録表示装置１００が具備する着脱可能記録部１０４には、図８に示されるように、各地域の特徴を示す場所サムネイル画像データ郡が記録されている。図８のリスト８００は、データとして着脱可能記録部１０４に記録されており、リスト８００には、サムネイル画像データ郡の各場所サムネイル画像のファイル名８０１、その画像が示す地点の緯度８０３、経度８０２、そしてどの範囲までをその画像データが示しているかを記述したデータ８０４が記録されている。
【００３１】
地図サムネイル画像生成の手段と同様に、制御部１０９は通信部１０１を介して外部のＧＰＳ等から位置情報を取得する。制御部１０９は取得された位置情報と該サムネイル郡のリスト８００から記録データに付加すべきサムネイル画像を選択決定し、前述の地図サムネイルと同様に記録データに付加する。
【００３２】
上記では、地図画像もしくは場所を特定できる様な画像をサムネイルとして映像データに付加する手段について述べたが、例えば天候を示す画像をサムネイルとして付加しても良い。その場合には、前述の地図サムネイルと生成する場合と同様に、外部の機器、例えば携帯電話から天候情報を取得し、その天候に応じて予めメモリ１０８もしくは着脱可能記録部１０４に予め記録されている天候を示すサムネイル画像を映像データに付加する。
【００３３】
また、同様に外部から、時間情報を取得しその情報から同様に季節を表すサムネイルを付加することも可能である。その場合には、撮影記録表示装置１００が具備する時間情報を利用しても良い。
【００３４】
ここで、図６におけるサムネイル識別子６０４、６０７及び６１０は、例えば映像データ本体に、前述の地図サムネイル、天候サムネイル、季節サムネイル、場所サムネイルが付加されている場合には、それぞれのカテゴリを示すサムネイル識別子として記録される。例えば、地図サムネイルカテゴリのサムネイルは0x00000001という識別子、季節サムネイルカテゴリのサムネイルは0x00000002という識別子、天候サムネイルカテゴリのサムネイルは0x00000004という識別子、場所サムネイルカテゴリには0x00000008という識別子が記録される。
【００３５】
図９において、撮影記録表示装置１００の着脱可能記録媒体１０４には、映像データ９０１、９０２、９０３及び９０４がそれぞれ、”Mov_0001.MPG”、”Mov_0002.MPG”、”Mov_0003.MPG”、”Mov_0004.MPG”で識別されるデータとして記録されている。
【００３６】
”Mov_0001.MPG”（９０１）は ９０５を、”Mov_0002.MPG”（９０２）は９０６を、”Mov_0003.MPG”（９０３）は９０７を、”Mov_0004.MPG”（９０４）は９０８を、それぞれ基本サムネイルとして、図５で示されるヘッダデータ部５０１に記録している。９０９〜９１２は前述の地図サムネイルとして各映像データのフッダデータ部５０３に記録されている。
【００３７】
図６において、サムネイルデータのフッダデータ部５０３へのサムネイル記録方法が示されているが、このときサムネイル識別子６０４には地図サムネイルのカテゴリであることを示す0x00000001が記録されることになる。同様に、９１３〜９１６は季節サムネイルとして、９１７〜９２０は天候サムネイルとして、９２１〜９２４は場所サムネイルとして各映像データのフッダデータ部５０３に、それぞれ識別子0x00000002、0x00000004、0x00000008として記録されている。
【００３８】
図１０は、ユーザが記録されている映像データを再生するために選択する場合のインターフェース表示画面の一例である。図１の表示部１０５に図１０のＧＵＩ１００１が表示される。ＧＵＩ１００１には記録されている映像データのサムネイル１００２が表示される。この場合には、図５のヘッダデータ部５０１に記録された基本サムネイルが表示されている。ユーザはセレクタ１００３)を図１の操作部１１０で操作することによりサムネイルを選択、決定することで、操作部１１０により所望の映像データの再生を開始できる。
【００３９】
一方、基本サムネイル以外の別に付加されたサムネイルは、図１１に示されるサムネイルカテゴリのためのＧＵＩ１１０１によってサムネイルカテゴリ１１０３から表示したいサムネイルカテゴリ１１０２を、セレクタ１１０２を操作部１１０で操作し選択／決定することで表示する。サムネイルカテゴリがＧＵＩ１１０１にて選択されると、制御部１０９は、記録されている各映像データから選択されたサムネイルカテゴリを示す識別子が記録されているかどうかをフッダデータ部５０３から図６のフォーマットに従って検索する。例えば、地図サムネイルのカテゴリがＧＵＩ１１０１にて選択された場合には、0x00000001の値が識別子として記録されているかどうかを検索し、その識別子によって示されるサムネイルを表示する。 図１２は、地図サムネイルカテゴリをＧＵＩ１００１に表示した結果であり、ユーザは地図サムネイルから映像データの選択が行える。
【図面の簡単な説明】
【００４０】
【図１】本発明の実施例１に係る撮影記録表示装置の電気的構成を示すブロック図である。
【図２】本発明の実施例１に係るデジタルビデオカメラと外部機器が接続されている状態を示した図である。
【図３】本発明の実施例１に係る位置情報のデジタルビデオカメラへの記録フォーマット例を示す図である。
【図４】本発明の実施例１に係るデジタルビデオカメラに記録されている地図画像データの例を示す図である。
【図５】本発明の実施例１に係るデジタルビデオカメラに記録されている映像データフォーマットの例を示した概略図である。
【図６】本発明の実施例１に係るデジタルビデオカメラに記録されている映像データに複数のサムネイルが付加された場合のサムネイルリストのフォーマット例を示す図である。
【図７】本発明の実施例１に係るデジタルビデオカメラに記録されている地図画像データから縮小地図画像生成のプロセスを示す図である．
【図８】本発明の実施例１に係るデジタルビデオカメラに画像サムネイルデータ郡が記録されている場合の、画像サムネイルデータ郡のリストフォーマット例を示す図である。
【図９】本発明の実施例１に係るデジタルビデオカメラに記録されている映像データと各サムネイルとの関係を説明する図である。
【図１０】本発明の実施例１に係るデジタルビデオカメラにおいて、再生映像を決定するためのサムネイル選択のためのＧＵＩ例を示した図である。
【図１１】本発明の実施例１に係るデジタルビデオカメラにおいて、表示するサムネイルカテゴリを決定するためのＧＵＩ例を示した図である。
【図１２】本発明の実施例１に係るデジタルビデオカメラにおいて、再生映像を決定するためのサムネイル選択のためのＧＵＩ例を示した図である。
【符号の説明】
【００４１】
１００        撮影記録表示装置
１０１        通信部
１０２        通信補助部
１０３        画像処理部
１０４        着脱可能記録部
１０５        表示部
１０６        縮小画像生成部
１０７        撮像部
１０８        メモリ
１０９        制御部
１１０        操作部
２００        位置情報取得装置
２１０        ケーブル
【図１】
2005176118.tif 000003
【図２】
2005176118.tif 000004
【図３】
2005176118.tif 000005
【図４】
2005176118.tif 000006
【図５】
2005176118.tif 000007
【図６】
2005176118.tif 000008
【図７】
2005176118.tif 000009
【図８】
2005176118.tif 000010
【図９】
2005176118.tif 000011
【図１０】
2005176118.tif 000012
【図１１】
2005176118.tif 000013
【図１２】
2005176118.tif 000014